(57)【要約】      （修正有）【課題】設置される空間の利便性を損なうことなく、使用者の不快感を低減することが可能な空気調和機付き洗面台セットを提供する。【解決手段】収納部１３２、２３２に収納され、冷媒の相変化を利用して空気調和を行う空気調和機４を有し空気調和機４は、第１熱交換器４２と、第２熱交換器４３とを有しており、第２熱交換器４２で熱交換された空気を吹き出す吹出口と、第２熱交換器４３で発生した結露水を排出するドレン配管４７とを備えており、ドレン配管４７が排水配管１５に接続されている空気調和機付き洗面台セットＡ。【選択図】図１
2017209143.tif 000002
【特許請求の範囲】
【請求項１】
室の内部に設置される空気調和機付き洗面台セットであって、
上面に洗面ボウルを配する洗面カウンターと、
前記洗面ボウルに吐出される上水が供給される給水配管と、
前記洗面ボウルに吐出された水を排水する排水配管と、
物品を収納可能な収納部と、
前記収納部に収納され、冷媒の相変化を利用して空気調和を行う空気調和機とを有し、
前記空気調和機は、第１熱交換器と、第２熱交換器とを有しており、
前記第２熱交換器で熱交換された空気を吹き出す吹出口と、前記第２熱交換器で発生した結露水を排出するドレン配管とを備えており、
前記ドレン配管が前記排水配管に接続されている空気調和機付き洗面台セット。
【請求項２】
前記第１熱交換器が、前記給水配管から供給される水と熱交換可能な熱交換器である請求項１に記載の空気調和機付き洗面台セット。
【請求項３】
前記第１熱交換器が配置される水密構造の水槽部と、
前記給水配管から前記水槽部に水を導く導入配管と、前記第１熱交換器と熱交換した水を前記水槽部から前記排水配管に導く導出配管とを備えている請求項２に記載の空気調和機付き洗面台セット。
【請求項４】
前記導出配管を流れる水の少なくとも一部を取り出すための分岐配管を備えている請求項３に記載の空気調和機付き洗面台セット。
【請求項５】
鏡と、
前記鏡の背後に配されて前記分岐配管と接続された曇り止め配管とを備えている請求項２から請求項４のいずれかに記載の空気調和機付き洗面台セット。
【請求項６】
前記第１熱交換器が、内部を通過する空気と熱交換可能な熱交換器であり、
前記第１熱交換器の内部を通過する気流を発生させる送風機と、
前記第１熱交換器で冷媒と熱交換した空気を排出する排風配管とを備えている請求項１に記載の空気調和機付き洗面台セット。
【請求項７】
前記洗面カウンターの下部には、前記空気調和機に空気を吸い込む吸込口が配されており、
前記吹出口が前記洗面カウンターの上方に配されたキャビネットに設けられている請求項６に記載の空気調和機付き洗面台セット。
【請求項８】
前記室に隣り合う室の空気を外部に排出する換気送風機が設けられた換気部を備えており、
前記排風配管が前記換気部に接続されている請求項６又は請求項７に記載の空気調和機付き洗面台セット。
【請求項９】
前記換気部が、前記室に開口する開口部と、前記開口部の空気の流れを遮断する気流遮断部と、を備えている請求項８に記載の空気調和機付き洗面台セット。
【請求項１０】
前記気流遮断部は、前記空気調和機による空気調和が終了した後、所定時間経過するまで前記開口部への空気の流れを遮断する請求項９に記載の空気調和機付き洗面台セット。
【請求項１１】
前記送風機が、前記空気調和機による空気調和が終了した後、所定時間経過するまで気流を発生させ続ける請求項６から請求項１０のいずれかに記載の空気調和機付き洗面台セット。
【請求項１２】
前記換気送風機は、前記空気調和機による空気調和の開始後、所定時間経過するまで前記送風機の風量よりも多い風量を吐出するように駆動され、所定時間経過後に停止する請求項８に記載の空気調和機付き洗面台セット。
【発明の詳細な説明】
【技術分野】
【０００１】
本発明は、空気調和機を備えた洗面台セットに関する。
【背景技術】
【０００２】
洗面、手洗い等を行うための洗面室は、浴室と隣接し、入浴のための脱衣又は着衣を行う脱衣室を兼ねている場合が多い。例えば、洗面室（脱衣室）は、プライベートを確保するために締め切って利用される場合が多い。そのため、夏場は浴室からの熱気が直接流入するとともに熱気がこもりやすく他の居室等に比べて暑い場所である。例えば、夏場の風呂あがり時等では、入浴で汗を流したにもかかわらず、洗面室（脱衣室）での着衣中に、暑さで汗をかいてしまうことがあり、不快である場合が多い。また、冬場は居室からの空気が流入しにくいため、他の居室等に比べて寒い場所である。例えば、冬場の風呂あがり時等では、浴室と洗面室（脱衣室）の温度差が大きく、風呂あがりの使用者が、寒さによる不快感を覚えやすい。
【０００３】
このような、温度による不快感を抑制するために、洗面室やトイレ等の床面積が小さい小部屋に利用可能な空気調和機が、例えば、特許文献１に開示されている。特許文献１に記載の空気調和機は、圧縮機、蒸発器及び凝縮器等の冷凍サイクル構成部品一式を内蔵した空気調和機本体を小部屋の壁面に取り付けるものであって、凝縮器を水冷するものが開示されている。
【０００４】
小部屋に専用の空気調和機を設置することで、小部屋の内部の温度を調整することができ、使用者が不快感を覚えにくい。
【先行技術文献】
【特許文献】
【０００５】
【特許文献１】特開２００４−１１６８６８号公報
【発明の概要】
【発明が解決しようとする課題】
【０００６】
洗面室（脱衣室）は、上述のとおり床面積が小さく、壁面にタオル等の物品を収納する収納部が設けられることが多い。また、洗濯機、乾燥機等の機器を設置する場所が設けられている場合も多い。収納部、洗濯機等を設置する空間を確保すると、小部屋の壁面に空気調和機の本体を設けるためのスペースを確保するのが困難になる場合が多い。
【０００７】
本発明は、設置される空間の利便性を損なうことなく、使用者の不快感を低減することが可能な空気調和機付き洗面台セットを提供することを目的とする。
【課題を解決するための手段】
【０００８】
上記目的を達成するために本発明は、室の内部に設置される空気調和機付き洗面台セットであって、上面に洗面ボウルを配する洗面カウンターと、前記洗面ボウルに吐出される上水が供給される給水配管と、前記洗面ボウルに吐出された水を排水する排水配管と、物品を収納可能な収納部と、前記収納部に収納され、冷媒の相変化を利用して空気調和を行う空気調和機とを有し、前記空気調和機は、第１熱交換器と、第２熱交換器とを有しており、前記第２熱交換器で熱交換された空気を吹き出す吹出口と、前記第２熱交換器で発生した結露水を排出するドレン配管とを備えており、前記ドレン配管が前記排水配管に接続されている。
【０００９】
この構成によると、空気調和機を洗面台セットの内部に収納しているため、洗面台セットを設置する場所（壁面）があれば、空気調和機を室内に配置することが可能である。これにより、洗面室のような、床面積が小さい部屋で壁面に余裕がない部屋にでも、空間を無駄にすることなく、空気調和機を設置することが可能である。
【００１０】
上述した空気調和機付き洗面台セットにおいて、前記第１熱交換器が、前記給水配管から供給される水と熱交換可能な熱交換器であっても構わない。洗面台セットは、水を使用するため、給水排水に困難はない。そして、このように構成することで、通常の空気調和機において、室外機にあたる部分が洗面台セットの内部に収納される。これにより、外壁に面していない場所に設けられた洗面室に、複雑な施工を行うことなく、空気調和機を設置することが可能である。
【００１１】
上述した空気調和機付き洗面台セットにおいて、前記第１熱交換器が配置される水密構造の水槽部と、前記給水配管から前記水槽部に水を導く導入配管と、前記第１熱交換器で熱交換した水を前記水槽部から前記排水配管に導く導出配管とを備えていても構わない。
【００１２】
上述した空気調和機付き洗面台セットにおいて、前記導出配管を流れる水の少なくとも一部を取り出すための分岐配管を備えていても構わない。第１熱交換器で加熱された水を、洗濯等に利用することが可能である。
【００１３】
上述した空気調和機付き洗面台セットにおいて、鏡と、前記鏡の背後に配されて前記分岐配管と接続された曇り止め配管とを備えていても構わない。従来のヒータを用いた曇り止め機構に比べて、省エネルギ化が可能である。
【００１４】
上述した空気調和機付き洗面台セットにおいて、前記第１熱交換器が、内部を通過する空気と熱交換可能な熱交換器であり、前記第１熱交換器の内部を通過する気流を発生させる送風機と、前記第１熱交換器で冷媒と熱交換した空気を排出する排風配管とを備えていても構わない。
【００１５】
上述した空気調和機付き洗面台セットにおいて、前記洗面カウンターの下部には、前記空気調和機に空気を吸い込む吸込口が配されており、前記吹出口が前記洗面カウンターの上方に配されたキャビネットに設けられていても構わない。このように構成することで、室内の空気を循環させることができ、室内での温度のばらつきを抑制することが可能である。
【００１６】
上述した空気調和機付き洗面台セットにおいて、前記室に隣り合う室の空気を外部に排出する換気送風機が設けられた換気部を備えており、前記排風配管が前記換気部に接続されていても構わない。
【００１７】
上述した空気調和機付き洗面台セットにおいて、前記換気部が、前記室に開口する開口部と、前記開口部の空気の流れを遮断する気流遮断部と、を備えていても構わない。
【００１８】
上述した空気調和機付き洗面台セットにおいて、前記気流遮断部は、前記空気調和機による空気調和が終了した後、所定時間経過するまで前記開口部への空気の流れを遮断しても構わない。開口部からの空気の吸込みを抑えることで、排風配管に発生する気流の量を増やし、第１熱交換器の結露水の乾燥を促進することが可能である。
【００１９】
上述した空気調和機付き洗面台セットにおいて、前記送風機が、前記空気調和機による空気調和が終了した後、所定時間経過するまで気流を発生させ続けても構わない。
【００２０】
上述した空気調和機付き洗面台セットにおいて、前記換気送風機は、前記空気調和機による空気調和の開始後、所定時間経過するまで前記送風機の風量よりも多い風量を吐出するように駆動され、所定時間経過後に停止しても構わない。
【発明の効果】
【００２１】
本発明によると、設置される空間の利便性を損なうことなく、使用者の不快感を低減することが可能な空気調和機付き洗面台セットを提供することができる。
【図面の簡単な説明】
【００２２】
【図１】本発明にかかる空気調和機付き洗面台セットの一例の概略正面図である。
【図２】図１に示す空気調和機付き洗面台セットの概略側面図である。
【図３】空気調和機及び水熱交換部の配置を示す図である。
【図４】本発明にかかる空気調和機付き洗面台セットの他の例の概略正面図である。
【図５】本発明にかかる空気調和機付き洗面台セットの他の例の概略正面図である。
【図６】図５に示す空気調和機付き洗面台セットの他の例の概略側面図である。
【図７】本発明にかかる空気調和機付き洗面台セットが設置される洗面室及びその近傍の配置を示す概略斜視図である。
【図８】本発明にかかる空気調和機付き洗面台セットのさらに他の例の概略正面図である。
【図９】接続部材の一例の斜視図である。
【図１０】接続部材の他の例の斜視図である。
【図１１】接続部材のさらに他の例の斜視図である。
【図１２】図７に示す空気調和機付き洗面台セットのブロック図である。
【図１３】図１２に示す空気調和機付き洗面台セットの動作を示すフローチャートである。
【図１４】本発明にかかる空気調和機付き洗面台セットのさらに他の例を示す概略側面図である。
【図１５】図１４に示す空気調和機付き洗面台セットのブロック図である。
【図１６】図１４に示す空気調和機付き洗面台セットの動作を示すフローチャートである。
【発明を実施するための形態】
【００２３】
以下に本発明の実施形態について図面を参照して説明する。
【００２４】
（第１実施形態）
図１は本発明にかかる空気調和機付き洗面台セットの一例の概略正面図である。図２は、図１に示す空気調和機付き洗面台セットの概略側面図である。図３は、空気調和機及び水熱交換部の配置を示す図である。
【００２５】
図１、図２に示す空気調和機付き洗面台セットＡは、洗面室Ｗｆの壁面ＷＬに密着して取り付けられるものである。以下の説明において、空気調和機付き洗面台セットＡに対して、上下、左右と示す場合、図１に示す空気調和機付き洗面台セットＡを基準とする。また、空気調和機付き洗面台セットＡの奥側及び手前側は、図２に示す空気調和機付き洗面台セットＡの左及び右とする。
【００２６】
図１に示す空気調和機付き洗面台セットＡは、洗面カウンター１と、ミラーキャビネット２と、連結部３と、空気調和機４と、を備えている。空気調和機付き洗面台セットＡは、洗面室Ｗｆで使用するものであり、塵や埃が付着しにくい表面加工が施されている。この表面加工としては、例えば、チタニアコーティングを挙げることができるが、これに限定されない。
【００２７】
洗面カウンター１は、直方体形状の箱体であり、上面に洗面ボウル１１が設けられている。洗面カウンター１の手前側には、前後方向に移動することで開閉される扉１２が設けられている。洗面カウンター１の洗面ボウル１１の下方には空間が設けられており、この空間が、物品を収納する収納スペース１３である。収納スペース１３の内部は、第１収納部１３１と、第２収納部１３２と、第１収納部１３１及び第２収納部１３２とを隔離する隔壁１３０とを備えている。
【００２８】
第１収納部１３１は、扉１２の開閉によりアクセス可能な収納部であり、洗剤、シャンプー等の備品が収納される。第２収納部１３２は、空気調和機４の後述する、第１熱交換器４２が配置される。また、第２収納部１３２の内部には、後述の四方弁４０、圧縮機４１、膨張器４４も配置されるが、図１、図２では図示を省略している。なお、収納スペース１３は、特許請求の範囲における「収納部」の一例である。給水配管１４と、排水配管１５とが、収納スペース１３の内部に配される。給水配管１４、排水配管１５は、第２収納部１３２に配されている。
【００２９】
また、隔壁１３０には、不図示の点検口が設けられていてもよい。点検口は、開閉可能な蓋あるいは扉を有する開口である。点検口を利用して、第１収納部１３１側から第２収納部１３２の内部に配された部材、例えば、給水配管１４、排水配管１５、第１熱交換器４２、空気調和機４の後述する四方弁４０、圧縮機４１、膨張器４４、冷媒配管４６及びドレン配管４７等の清掃、点検、修理等のメンテナンスを行うことができる。なお、隔壁１３０自体が、着脱可能又は開閉可能な構成であってもよい。隔壁１３０全体が着脱可能又は開閉可能な構成とすることでメンテナンスが容易になる。
【００３０】
給水配管１４は、上水、いわゆる、水道水を洗面台セットＡに供給するための配管である。給水配管１４は、外部に設けられた水道配管と接続され、水道配管から水道水が供給される。そして、洗面カウンター１に設けられた水栓１６に接続されている。水栓１６は、洗面ボウル１１の上方に配置されており、水栓１６が操作されることで、洗面ボウル１１に上水を流出（供給）する。なお、給水配管１４は、水道水をそのままの温度で供給するものであり、給水配管１４と平行に配されて水栓１６に対して加温された水道水を供給する温水配管１４１も備えている。
【００３１】
洗面ボウル１１は、洗顔、手洗い、衣類等の水洗い等、水を用いた作業に利用される。洗面ボウル１１は、上面が開口した曲面形状の内面を有しており、洗面カウンター１の上面に埋め込まれている。洗面ボウル１１の下部には排水口が設けられており、排水配管１５が連結されている。排水配管１５は、外部に設けられた下水配管に、排水を流すための配管である。排水配管１５は、収納スペース１３の第２収納部１３２の内部に配置される。排水配管１５には、空気調和機４の後述するドレン配管４７が接続されている。
【００３２】
そして、収納スペース１３の第２収納部１３２の内部には、水熱交換部１７が設けられている。図３に示すように、水熱交換部１７は、水槽部１７０と、導入配管１７１と、導出配管１７２と、分岐配管１７３とを備えている。水槽部１７０は、水密な箱形状であり、第１熱交換器４２が浸漬される水を溜めることができる。導入配管１７１は、給水配管１４から分岐して、水（水道水）を水槽部１７０に導入させる配管である。導出配管１７２は、水槽部１７０に溜めた水を排水配管１５に導出する配管である。分岐配管１７３は、導出配管１７２の途中に接続された配管であり、導出配管１７２を介して導出される水の一部を外部に分岐させる配管である。分岐配管１７３は必要に応じて設けられていればよく、省略されていてもよい。
【００３３】
なお、導入配管１７１、導出配管１７２及び分岐配管１７３には、流量調整用の弁（不図示）が備えられており、給水配管１４から水槽部１７０への水の導入量、水槽部１７０から排水配管１５への水の導出量の調整が可能となっている。
【００３４】
また、洗面カウンター１の下部には、収納スペース１３の第２収納部１３２と連通し、第２収納部１３２に空気を吸入する吸気口１８が備えられている。
【００３５】
ミラーキャビネット２は、洗面カウンター１の上方に、間隔をあけて配置されている。ミラーキャビネット２は、前面板２０と、鏡２１と、扉２２と、キャビネット収納部２３とを備えている。ミラーキャビネット２は、前面が開いた箱体であり、箱体の内部がキャビネット収納部２３となっている。そして、ミラーキャビネット２の前面の上端部に、前面板２０が設けられている。キャビネット収納部２３には、歯ブラシ、化粧品等の洗顔用の備品を収納する第１収納部２３１と、空気調和機４の後述する第２熱交換器４３及び送風機４５が設けられる第２収納部２３２とを備えている。第１収納部２３１は、第２収納部２３２の前面側に形成されており、第１収納部２３１と第２収納部２３２とは、仕切り壁２３０で分離されている。
【００３６】
また、仕切り壁２３０には、不図示の点検口が設けられていてもよい。点検口は、開閉可能な蓋あるいは扉を有する開口である。点検口を利用して、第１収納部２３１側から第２収納部２３２の内部に配された部材、例えば、第２熱交換器４３、送風機４５、空気調和機４の後述する受け皿４３１、冷媒配管４６及びドレン配管４７等の清掃、点検、修理等のメンテナンスを行うことができる。なお、仕切り壁２３０自体が、着脱可能又は開閉可能な構成であってもよい。仕切り壁２３０全体が着脱可能又は開閉可能な構成とすることでメンテナンスが容易になる。
【００３７】
扉２２は、前面板２０の下方に配置されており、キャビネット収納部２３の第１収納部２３１を開閉する。扉２２の外面に鏡２１が設けられている。扉２２が閉じられているとき、鏡２１が洗面キャビネット１の前面にいる使用者を写す位置にある。
【００３８】
扉２２は、例えば、上下に延びる軸を中心に回動する扉であるが、これに限定されるものではなく、キャビネット収納部２３を開閉可能な構成を広く採用することができる。前面板２０には、空気調和機４の後述する第２熱交換器４３で熱交換された空気が吹き出される開口である吹出口２４が設けられている。本発明にかかる空気調和機付き洗面台セットＡでは、吹出口２４が第２収納部２３２と連通して設けられている。吹出口２４から、第２収納部２３２内で第２熱交換器４３で熱交換された空気（調和された空気）が吹き出される。
【００３９】
連結部３は、洗面カウンター１と、ミラーキャビネット２とを連結する壁体である。連結部３は、洗面カウンター１の後側の面と、ミラーキャビネット２の後面と同一面を有し、洗面室Ｗｆの壁面ＷＬに密接して取り付けられる。連結部３の内部には、中空部３１が設けられており、中空部３１は、収納スペース１３の第２収納部１３２と、キャビネット収納部２３の第２収納部２３２とを空気が流動可能に連結している。また、連結部３の中空部３１の内部には、空気調和機４に備えられる冷媒配管４６のうち、膨張器４４から第２熱交換器４３冷媒が流れる配管と、第２熱交換器４３から圧縮機４１に戻る配管とが配されている。なお、本発明にかかる空気調和機付き洗面台セットＡでは、洗面カウンター１の収納スペース１３、キャビネット収納部２３及び中空部３１が、特許請求の範囲に示す「収納部」に相当する。
【００４０】
空気調和機４は、冷媒の相変化を利用して空気の調和（冷房）を行う、冷媒圧縮式の冷凍サイクルを利用している。図３に示すように、空気調和機４は、四方弁４０と、圧縮機４１と、第１熱交換器４２と、第２熱交換器４３と、膨張器４４と、送風機４５とを備えている。圧縮機４１、四方弁４０、第１熱交換器４２、膨張器４４、第２熱交換器４３、四方弁４０、圧縮機４１の順番で冷媒配管４６を介して接続される。
【００４１】
四方弁４０は、４個の接続口を備えており、圧縮機４１、第１熱交換器４２及び第２熱交換器４３が接続されている。四方弁４０を切り替えることで、圧縮機４１で圧縮された冷媒を第１熱交換器４２又は第２熱交換器４３のいずれか一方側に流し、他方側から冷媒を圧縮機４１に戻す切換え弁である。
【００４２】
例えば、空気調和機４は、四方弁４０を切り替えて、圧縮された冷媒を第１熱交換器４２に流入させることで（図３に示す状態）、第１熱交換器４２が凝縮器となり放熱し、第２熱交換器４３が蒸発器となり吸熱する。空気調和機４は、第２熱交換器４３を通過する空気から熱を奪い、冷却された空気を調和された空気として吹き出す冷房運転をする。
【００４３】
具体的には次のとおりである。圧縮機４１で圧縮された冷媒は、第１熱交換器４２で凝縮され、膨張器４４に流入して膨張器４４で膨張する。そして、第２熱交換器４３で蒸発する。冷媒は第２熱交換器４３で蒸発するとき、周囲から気化熱を奪う。第２熱交換器４３には、送風機４５から空気が流入している。第２熱交換器４３では、冷媒と空気との熱交換が行われる。このとき、冷媒は空気から熱を奪い昇温され、空気は冷却される。これにより、第２熱交換器４３では、低温の風（冷風）が発生する。また、第２熱交換器４３から流出した冷媒は、四方弁４０を介して、圧縮機４１に戻る。
【００４４】
また、空気調和機４は、四方弁４０を切り替えて、圧縮された冷媒を第２熱交換器４３に流入させることで、第２熱交換器４３が凝縮器となり放熱し、第１熱交換器４２が蒸発器となり吸熱する。空気調和機４は、第２熱交換器４３を通過する空気を加熱し、加熱された空気を調和された空気として吹き出す暖房運転をする。
【００４５】
具体的には次のとおりである。圧縮機４１で圧縮された冷媒は、第２熱交換器４３で凝縮され、膨張器４４に流入して膨張器４４で膨張する。そして、第１熱交換器４２で蒸発する。冷媒は第２熱交換器４３で凝縮されるとき、周囲に放熱する。第２熱交換器４３では、冷媒と内部を流れる空気との熱交換が行われる。このとき、空気は冷媒から熱を奪い昇温される。これにより、第２熱交換器４３では、高温の風（温風）が発生する。また、第１熱交換器４２から流出した冷媒は、四方弁４０を介して、圧縮機４１に戻る。
【００４６】
なお、以下の説明では、冷房運転及び暖房運転を総称して、空気調和運転と称する場合があり、その場合の空気（高温又は低温の空気）を調和空気と称する場合がある。
【００４７】
第１熱交換器４２及び第２熱交換器４３は、冷媒が流れるチューブと、チューブに接触しているとともに周囲の水又は空気との接触面積を増やすためのフィンを備えたフィンチューブ式の熱交換器である。なお、これに限定されるものではなく、ダウンフロー型やサイドフロー型等のパラレルフロー型熱交換器など、内部を循環する冷媒と水又は空気との熱交換を効率よく行うことができるものを広く採用することができる。
【００４８】
空気調和機４は、第１熱交換器４２が水熱交換部１７の水槽部１７０の内部に収納されており、水槽部１７０に溜められた水と冷媒とが熱交換する熱交換器である。第２熱交換器４３は、通過する空気と内部を流れる冷媒とが熱交換する熱交換器である。第２熱交換４３は、送風機４５の駆動により発生した気流が、流入する位置に設けられている。図１、図２では、送風機４５の上部に配置されているものとしているが、送風機４５と第２熱交換器４３とは、上下入れ替えてもよい。第２熱交換器４３を通過する空気は、第２熱交換器４３のチューブ内を流れる冷媒と熱交換し、調和空気となる。
【００４９】
送風機４５は、キャビネット収納部２３の第２収納部２３２の内部に配置されおり、キャビネット収納部２３の第２収納部２３２に上昇する気流を発生させる。送風機４５は、軸流ファンを備えるものであってもよいし、遠心ファンであってもよい。気流を発生させることができる構成を広く採用することができる。送風機４５で発生した気流は第２熱交換器４３の内部を通過し、冷媒と熱交換され、第２収納部２３２と連通している吹出口２４から吹き出される。また、送風機４５の駆動によって、収納スペース１３の第２収納部１３２から連結部３の中空部３１に流れる気流が発生し、この気流の発生によって、第２収納部１３２と連通した吸込口１８から空気が吸い込まれる。
【００５０】
なお、吸込口１８には、図示を省略したフィルタが設けられており、吸い込む空気に含まれる塵、埃等を除去し、洗面台セットＡの空気調和機４が設けられる空間に塵、埃等が流入するのを抑制している。吸込口１８は、洗面台セットＡの内部を流れる空気の流れの最上流であり、吸込口１８にフィルタを備えることで、他の部分に設けるよりも、洗面台セットＡの内部に流入する塵、埃等を容易に、且つ、確実に除去することが可能である。
【００５１】
空気調和機４は、以上のような動作によって、吸込口１８から吸い込んだ空気を第２熱交換器４３で調和（冷却又は加熱）して、調和した空気を吹出口２４から洗面室Ｗｆに吹き出して、洗面室Ｗｆの空気調和を行っている。
【００５２】
また、空気調和機４を冷房運転する場合、第２熱交換器４３は、内部を通過する空気を冷却する。水蒸気が多く含まれている空気を冷却すると、第２熱交換器４３に結露が発生する。通常、洗面室Ｗｆは浴室の隣に配される場合がほとんどであり、浴室から高温多湿の空気が流入しやすい。そのため、第２熱交換器４３では、結露が発生しやすい。そこで、第２熱交換器４３の下部には、結露水を受けるための受け皿４３１を備えている。そして、受け皿４３１には、結露水を排水するためのドレン配管４７が設けられており、ドレン配管４７は、排水配管１５に接続されている。ドレン配管４７は、キャビネット収納部２３の第２収納部２３２、連結部３の中空部３１及び収納スペース１３の第２収納部１３２に配置される。そのため、ドレン配管４７は、使用者から見えない位置に設けられている。
【００５３】
受け皿４３１に溜まった結露水は、ドレン配管４７を介して排水配管１５に流入させる。そして、排水配管１５を介して外部に排水される。なお、受け皿４３１を洗面ボウル１１よりも上方に配置することで、排水配管１５から受け皿４３１に水が逆流するのを抑制することができる。
【００５４】
なお、ドレン配管４７は、使用者から視認されない位置にあればよい。そのため、連結部３と洗面室Ｗｆの壁面ＷＬとの間にドレン配管４７を配置できる構成であれば、連結部３の背後にドレン配管４７を配置してもよい。ドレン配管４７が連結部３に収納されている方が、空気調和機付き洗面台セットＡの取り付け取り外しが容易である。ドレン配管４７は予め、受け皿４３１と排水配管１５とを接続するように取り付けられているため、ドレン配管４７の配管工事が不要となる。さらに、ドレン配管４７が外部に露出しないため、塵や埃等の異物が侵入しにくく、流れにくくなったり詰まったりしにくい。
【００５５】
空気調和機４を冷房運転する場合、第１熱交換器４２は、蒸発器として動作する。これにより、水熱交換器１７の水槽部１７０に溜められる水は、第１熱交換器４２を通過する冷媒によって加熱されて、温水となる。この温水を有効利用するために、分岐配管１７３が設けられている。例えば、分岐配管１７３を通過した温水を、洗濯機に供給して、洗濯に用いることが可能である。また、温水配管１４１に流入させて、温水の温度調整に利用してもよい。さらには、扉２２の内部で鏡２１に近接して設けた曇り止め配管（不図示）に流入させて、鏡２１を加熱し、鏡２１の曇り止めに利用してもよい。また、水槽部１７０に流入する水は、水道水であり、人体に無害である。そのため、分岐配管１７３に水栓を取り付けて、使用者が容易に水を取り出すことができるようにしてもよい。
【００５６】
なお、洗濯や鏡２１の曇り止めに用いる場合、温水の温度は、一定の範囲内であると効率が良い。そのため、水槽部１７０の温度を測定し、その温度が一定の範囲内にあるときで、分岐配管１７３からの温水の供給が必要なときに、分岐配管１７３から温水が分岐されるようにしてもよい。
【００５７】
空気調和機４を暖房運転する場合、第１熱交換器４２は、凝縮器として動作する。これにより、水熱交換器１７の水槽部１７０に溜められた水は、第１熱交換器４２を通過する冷媒によって、冷却されて冷水となる。洗面室Ｗｆの温度によっては、水槽部１７０に溜まる水の一部が凍る場合もある。その場合に備えて、空気調和機付き洗面台セットＡでは、温水配管１４１から水槽部１７０に温水を供給できるようになっていてもよい。なお、温水配管１４１からの温水の供給は、水槽部１７０に溜められた水の温度を測定しておき、その温度が一定以下になったときに行うようにすればよい。
【００５８】
また、空気調和機４を冷房運転する場合及び暖房運転する場合のそれぞれにおいて、水槽部１７０に溜められた水の温度には、最適な温度範囲が存在する。そして、水槽部１７０に溜められた水を最適な温度とするため、水槽部１７０に溜められている水の温度を測定し、その温度に基づいて、水槽部１７０に溜められる水を入れ替えるようにしてもよい。
【００５９】
空気調和機付き洗面台セットＡでは、送風機４５の駆動によって、気流が発生し、下部に設けられた吸込口１８から空気が吸い込まれる。吸込口１８で吸い込まれた空気は、収納スペース１３の第２収納部１３２、連結部３の中空部３１、キャビネット収納部２３の第２収納部２３２に順次流れ、第２収納部２３２で、第２熱交換器４３の内部を流れる冷媒と熱交換する。そして、調和空気が第２収納部２３２と連通した吹出口２４から吹き出される。空気調和機洗面台セットＡでは、吸込口１８と吹出口２４を上下に離して配置していることで、洗面室Ｗｆに上から下に向かう対流が発生する。洗面室Ｗｆは、床面積が小さい部屋、すなわち、容積が小さいため、対流によって、内部の空気がかきまぜられるため、空間の温度のむらが抑制される。
【００６０】
また、本発明にかかる空気調和機付き洗面台セットＡは、第１熱交換器４２を水と熱交換する構成とし、その水を、導出配管１７２を介して排水配管１５に排水している。これにより、通常の空気調和機において、室外機として動作する第１熱交換器４２を、洗面カウンター１の収納スペース１３の内部に収納することができる。そして、この構成によって、空気調和機付き洗面台セットＡでは、室外機が不要であり、壁面ＷＬへの孔開け加工、冷媒配管、ドレン配管の施工が不要である。これにより、取り付けが容易であるとともに、室外機への冷媒配管及び（又は）ドレン配管の施工が困難な洗面室Ｗｆにも空気調和機を設置することが可能である。
【００６１】
上述のとおり、空気調和機が冷房及び暖房が可能な構成としていることで、洗面室Ｗｆの温度による不快感を低減することが可能である。なお、本実施形態では、空気調和機４として、冷房運転及び暖房運転が可能な構成としているが、冷房又は暖房のいずれか一方のみ可能な構成であってもよい。この場合、四方弁４０を省略することができるので、空気調和機４を小型化し、空気調和機４が収納部に占める割合を小さくすることが可能である。
【００６２】
図１、図２に示す空気調和機付き洗面台セットＡは、第１熱交換器４２が収納スペース１３の第２収納部１３２に、第２熱交換器４３がキャビネット収納部２３の第２収納部２３２に、それぞれ、離れて配置されていた。すなわち、空気調和機４は、分離式の空気調和機であったがこれに限定されない。例えば、図４に示すような、一体型の空気調和機４が空気調和機付き洗面台セットに内蔵されていてもよい。図４は、本発明にかかる空気調和機付き洗面台セットの他の例の概略正面図である。なお、一体型の空気調和機４は、水熱交換部１７の導入配管１７１と導出配管１７２との一部及び水槽部１７０は、空気調和機４の内部に配置される。
【００６３】
このような構成とすることで、空気調和機４をユニット化することができるので、製造にかかる手間と時間を減らすことができ、コストを削減することが可能である。また、一体型の空気調和機４では、第２熱交換器４３の下部に配置される受け皿４３１にたまった水を排水するドレン配管４７の大半を、空気調和機４の内部に配置することが可能である。このことから、空気調和機付き洗面台セットＡの取り付け時における、ドレン配管４７の取り付け施工長さを短くでき、作業を簡略化することが可能である。
【００６４】
なお、以下の各実施形態においても、第１熱交換器と第２熱交換器を離して設置する分離型の空気調和機を例に説明するが、一体型の空気調和機であってもよいことは言うまでもない。
【００６５】
（第２実施形態）
本発明にかかる空気調和機付き洗面台セットの他の例について図面を参照して説明する。図５は、本発明にかかる空気調和機付き洗面台セットの他の例の概略正面図である。図６は、図５に示す空気調和機付き洗面台セットの他の例の概略側面図である。
【００６６】
図５、図６に示すように、空気調和機付き洗面台セットＢは、空気調和機４ｂが異なる以外、第１実施形態に示す空気調和機付き洗面台セットＡと同じ構成を有している。そのため、空気調和機付き洗面台セットＢにおいて、空気調和機セットＡと同じ部分には、同じ符号を付すとともに、同じ部分の詳細な説明は省略する。なお、図５、図６では、建物の２４時間換気に用いられる排気ダクトＤｋも図示している。
【００６７】
空気調和機付き洗面台セットＢの空気調和機４ｂは、空気調和機４と異なり、第１熱交換器４２ｂが、内部を通過する空気と熱交換を行う熱交換器である。なお、第１熱交換器４２ｂは、水の代わりに空気が通過する構成となっているが、基本的な構成は第１熱交換器４２ｂと同じである。すなわち、冷媒が通過するチューブと、チューブが貫通するとともにチューブと固定されているフィンとを備えている。なお、チューブの形状、フィンの形状は、通過する空気と冷媒との熱交換の効率が高くなるように設定される。
【００６８】
空気調和機付き洗面セットＢは、水熱交換部１７に替えて、通風部４８を備えている。通風部４８は、送風機４８１と、排風配管４８２と、カバー４８３と、を備えている。
【００６９】
送風機４８１は、収納スペース１３の第２収納部１３２に備えられており、吸込口１８から吸い込まれた空気を第１熱交換器４２ｂに流入させる気流を発生させる。送風機４８１は、送風機４５と同様、軸流ファン、遠心ファンのいずれであってもよいし、これ以外の構成の気流を発生する構成であってもよい。排風配管４８２は、第１熱交換器４２ｂを通過し、第１熱交換器４２ｂで熱交換された空気を排風する配管である。  排風配管４８２は、収納スペース１３の第２収納部１３２、連結部３の中空部３１及びキャビネット収納部２３の第２収納部２３２の内部に配置されている。
【００７０】
高気密住宅では、２４時間換気が行われており、２４時間換気時に室内の空気を排気する排気ダクトＤｋが設けられている。本実施形態に示す空気調和機付き洗面台セットＢにおいて、排風配管４８２が、排気ダクトＤｋに接続されている。空気調和機４ｂにおいて、第１熱交換器４２ｂで熱交換された空気は、冷房運転時に高温になり、暖房運転時に低温になる。つまり、第１熱交換器４２ｂで熱交換された空気が、第２熱交換器４３に流入したり、吹出口２４から洗面室Ｗｆに流出されたりすると、洗面室Ｗｆの空気調和の効率が低下する。
【００７１】
そのため、空気調和機４ｂでは、第１熱交換器４２ｂをカバー４８３で覆っている。そして、カバー４８３の気流の上流側には、送風機４８１が設けられており、送風機４８１はカバー４８３内に流入する気流を発生させる。また、カバー４８３の気流の下流側は、排風配管４８２に空気が漏れないように接続されている。送風機４８１で発生した気流は、第１熱交換器４２ｂに流入し、第１熱交換器４２ｂで冷媒と熱交換した気流は、漏れることなく、排風配管４８２に流入させることができる。
【００７２】
そして、排風配管４８２が居室の空気を外部に排出するための排気ダクトＤｋに接続されていることから、排風配管４８２に流入した、第１熱交換器４２ｂで冷媒と熱交換された気流は、排気ダクトＤｋに流入し、排気ダクトＤｋから建築物（住居）の外部に排出される。これにより、第１熱交換器４２ｂで冷媒と熱交換された気流が第２熱交換器４３に流入したり、吹出口２４から洗面室Ｗｆに流出したりするのを抑制している。
【００７３】
排風配管４８２は、収納スペース１３の第２収納部１３２、連結部３の中空部３１及びキャビネット収納部２３の第２収納部２３２の内部に配置され、キャビネット収納部２３から突出した部分が、排気ダクトＤｋに接続されている。これにより、空気調和機付き洗面台セットＢを用いることで、キャビネット収納部２３の第２収納部２３２から突出する排風配管４８２を、排気ダクトＤｋに接続するだけで、通常の空気調和機を設置する壁面を確保できない洗面室Ｗｆに、空気調和機を設置することができる。
【００７４】
なお、排風配管４８２は、使用者から見えなければよく、空気調和機付き洗面台セットＢと、壁面ＷＬとの間に、排風配管４８２を設置できる空間がある場合、少なくとも一部が、第２収納部１３２、中空部３１又は第２収納部２３２の後側、すなわち、外部に配置されていてもよい。この時、排風配管４８２の第２収納部１３２、中空部３１又は第２収納部２３２の外部に露出している部分は、壁面ＷＬに埋め込まれていてもよい。
【００７５】
空気調和機４ｂが、暖房運転を行う構成の場合、第１熱交換器４２ｂで、空気が冷却されるため、第１熱交換器４２ｂで結露が発生する。そのため、空気調和機４ｂが暖房運転を行う構成の場合、第１熱交換器４２ｂの下方に受け皿を設け、受け皿にたまった結露水を排水配管１５に流すドレン配管を備えていてもよい。第１熱交換器４２ｂ及び排水配管１５が、収納スペース１３の第２収納部１３２に配置されるため、ドレン配管を短くすることが可能である。
【００７６】
（第３実施形態）
本発明にかかる空気調和機付き洗面台セットのさらに他の例について、図面を参照して説明する。図７は、本発明にかかる空気調和機付き洗面台セットが設置される洗面室及びその近傍の配置を示す概略斜視図である。図８は、本発明にかかる空気調和機付き洗面台セットのさらに他の例の概略正面図である。本実施形態にかかる、空気調和機付き洗面台セットＣは、換気部５及び接続部材６を備えている以外、空気調和機付き洗面台セットＢと同じ構成を有している。そのため、空気調和機Ｃにおいて、空気調和機Ｂと同じ構成について、同じ符号を付すとともに、同じ部分の詳細な説目は省略する。
【００７７】
図５に示すように、本発明にかかる空気調和機付き洗面台セットＣが設置される洗面室Ｗｆは、浴室Ｂｔの隣に配される。そして、浴室Ｂｔには、浴室Ｂｔ内の空気を換気するための換気部５が設けられる。なお、本実施形態にかかる空気調和機付き洗面台セットＣは、換気部５を備えるとともに、排風配管４８２を換気部５に接続する接続部材６を含んでいる。
【００７８】
換気部５は、浴室Ｂｔ内の空気を換気する装置である。換気部５は、フード５０と、換気送風機５１と、換気配管５２と、を備えている。フード５０は、内部に空気が流通する箱体である。浴室Ｂｔの天面に設けられており、浴室Ｂｔに向けて開口した開口部５００を有している。本実施形態においてフード５０は、浴室Ｂｔの天井裏に収納されている。そして、フード５０は、浴室Ｂｔの外部に空気を排出するための排気ダクトＤｋと接続されている。
【００７９】
換気送風機５１は、開口部５００から浴室Ｂｔ内の空気を吸い込む気流を発生させる。換気送風機５１は、軸流ファンであってもよいし、遠心ファンであってもよい。この構成以外にも、開口部５００から流入する気流を発生させる構成を広く採用することができる。換気配管５２は、フード５０と連通しており、フード５０と排気ダクトＤｋとを接続する配管である。換気送風機５１を駆動したとき、換気配管５２に排気ダクトＤｋに向かって流れる気流が発生する。換気配管５２には、排風配管４８２の接続に用いられる接続部材６が配されている。
【００８０】
ここで、接続部材６について説明する。図９は、接続部材の一例の斜視図である。図９に示すように、接続部材６は、主配管６１と、接続配管６２とを有している。主配管６１は、直線状の配管であり換気配管５２の一部を構成する配管である。接続配管６２は、主配管６１に対して角度をつけて（ここでは、９０度）接続している。そして、主配管６１と接続配管６２とは、内部の空気の漏れを抑制して接続されている。
【００８１】
主配管６１には、換気送風機５１から送られてきた空気が流れており、一定方向の空気の流れが発生している。そして、接続配管６２には、排風配管４８２が接続されており、を流れた空気（気流）が流れており、この排気は、主配管６１に流入する。
【００８２】
なお、図１０に示す接続部材６ａを用いてもよい。図１０は、接続部材の他の例の斜視図である。図１０に示す接続部材６ａは、接続配管６２の主配管６１に接続する角度が異なる以外、接続部材６と同じ構成を有している。すなわち、接続部材６ａは接続配管６２の上流側が主配管６１の内部の空気の流れ方向に沿って、主配管６１に接近している。そして、接続配管６２は主配管６１に鋭角をなして接続している。このように接続することで、換気送風機５１の駆動により、換気配管５２に気流が発生したときに、接続配管６２内に、主配管６１に向かう吸込み空気が発生しやすい。これにより、排風配管４８２を流れる気流が換気配管５２に流入しやすくなる。
【００８３】
さらには、図１１に示す接続部材６ｂを用いてもよい。図１１は、接続部材のさらに他の例の斜視図である。図１１に示すように接続部材６ｂの接続配管６２に逆流防止弁６２１（流量調整部）が設けられている。逆流防止弁６２１は、排風配管４８２から換気配管５２に流入する空気は流れるが、換気配管５２から排風配管４８２に空気が流入するのを抑制する弁である。
【００８４】
逆流防止弁６２１は、例えば、上部が回転可能に支持されているとともに、下部が排風配管４８２の排気の流れ方向の下流側となるように傾けられているものを挙げることができる。このような逆流防止弁６２１は、気流が発生していないときには自重によって、接続配管６２を封鎖している。排風配管４８２側の圧力が上がる又は主配管６１（排気ダクト２２）側の圧力が下がる（吸込みが発生する）と、圧力差によって、逆流防止弁６２１が持ち上がり、気流が流れる。逆に、主配管６１側の圧力が上がった場合には、圧力差によって逆流防止弁６２１に作用する力は、接続配管６２を封鎖する方向であるため、逆流防止弁６２１は開かず、気流が逆流しない。なお、逆流防止弁６２１はこの構成に限定されるものではなく、周知の構成のものを採用することができる。例えば、電動等で駆動され、流量を調整できる流量調整弁又はダンパ用いた接続部材を用いてもよい。
【００８５】
また、接続部材６ｂとして、主配管６１を流れる空気の量を調整するとともに、接続配管６２から主配管６１に流入する空気の量を調整可能な調整機能を有している切替、調整機能付きの弁を備えたものを採用してもよい。なお、以下の説明では、接続部材６を備えているものとする。
【００８６】
空気調和機付き洗面台セットＣは、空気調和機４ｂと、換気部５の換気送風機５１とを連動させて制御可能となっている。図１２は、図７に示す空気調和機付き洗面台セットのブロック図である。図１２に示すように、空気調和機付き洗面台セットＣは、制御部Ｃｏｎｔを備えている。制御部Ｃｏｎｔには、空気調和機４ｂの四方弁４０、圧縮機４１、送風機４５、送風機４８１及び空調操作部Ｉｎ１が接続されている。また、制御部Ｃｏｎｔには、換気部５の換気送風機５１が接続されている。さらに、制御部Ｃｏｎｔには、洗面室Ｗｆの温度を測定する温度センサＳｆ１と換気操作部Ｉｎ２が接続されている。
【００８７】
空調操作部Ｉｎ１は、使用者の操作によって、空気調和機４ｂの動作を決定する入力部である。例えば、空気調和機４ｂの駆動／停止の切り替え、冷房運転／暖房運転の切り替え、温度設定等を行うことができる。空調操作部Ｉｎ１としては、リモートコントローラや空気調和機付き洗面台セットＣに備えられた操作入力装置を挙げることができる。また、換気操作部Ｉｎ２は、使用の操作によって換気部５の動作を決定する入力部である。例えば、換気送風機５１の風量の設定、タイマ設定等が可能な構成である。換気操作部Ｉｎ２としては、リモートコントローラや浴室の内部又は外部の壁面に設けられた操作部を挙げることができる。制御部Ｃｏｎｔは、空調操作部Ｉｎ１による操作入力及び換気操作部Ｉｎ２による操作入力を信号として受信することができる。
【００８８】
空気調和機付き洗面台セットＣの動作について、図面を用いて説明する。図１３は、図１２に示す空気調和機付き洗面台セットの動作を示すフローチャートである。空気調和機付き洗面台セットＣでは、排風配管４８２が換気部５と接続されている。空気調和機４ｂを暖房運転する場合、運転開始直後、洗面室Ｗｆは温まっておらず、浴室Ｂｔよりも低温である。そのため、換気送風機５１が駆動していない状態で、空気調和機４ｂを駆動すると、洗面室Ｗｆの低温の空気が排風配管４８２を通過して換気部５の開口部５００から浴室Ｂｔに流入し、浴室Ｂｔ内の使用者が寒さによって、不快感を覚える恐れがある。
【００８９】
また、冷房運転を行う場合には、開口部５００から空気が流入しても、使用者が寒さによる不快感を覚えにくいが、開口部５００に設けられた不図示のフィルタが捕集している塵、埃等が、浴室Ｂｔに落下し、使用者が不快感を覚えることがある。そこで、空気調和機付き洗面台セットＣでは、換気送風機５１を空気調和機４ｂと連動させて、排風配管４８２から換気配管５２に流入した空気が、開口部５００から浴室Ｂｔに流入するのを抑制している。
【００９０】
制御部Ｃｏｎｔは、換気送風機５１が発生する風量を第１風量と、第１風量よりも大きい第２風量とに制御している。第１風量は、排風配管４８２から接続部材６へ流れる気流が排気配管５２を通って開口部５００から、浴室Ｂｔに逆流しない風量であって、入浴中の使用者が寒さを感じない程度に浴室Ｂｔから空気の排出する風量である。第２風量は、２４時間換気を行うときの風量である。
【００９１】
図１３に示すように、空気調和機４ｂがＯＮにされると（ステップＳ１０１）、制御部Ｃｏｎｔは、使用者が入浴中か否か確認する（ステップＳ１０２）。なお、空気調和機４ｂの操作を行う空調操作部Ｉｎ１で、入浴中か否かの入力が可能な構成としておき、その操作入力に基づいて、入浴中か否かの確認を行うようにしてもよい。また、これ以外の方法で確認するようにしてもよい。
【００９２】
使用者が入浴中ではない場合（ステップＳ１０２でＮｏの場合）、制御部Ｃｏｎｔは、換気部５を操作する換気操作部Ｉｎ２が操作されているか確認する（ステップＳ１０３
）。換気部５がＯＮに制御されている場合（ステップＳ１０３でＹｅｓの場合）、制御部Ｃｏｎｔは、換気送風機５１を第２風量で運転する（ステップＳ１０４）。また、換気部５がＯＦＦに操作されている場合（ステップＳ１０３でＮｏの場合）、制御部Ｃｏｎｔは、換気送風機５１を停止する（ステップＳ１０５）。なお、ステップＳ１０５において、換気送風機５１を停止としているが、その前に、換気送風機５１が停止している場合、停止状態を維持するものとする。ステップＳ１０４、ステップＳ１０５で換気送風機５１の動作が決定されたのち、制御部Ｃｏｎｔは、空気調和機４ｂの温度制御に戻る。
【００９３】
また、使用者が入浴中の場合（ステップＳ１０２でＹｅｓの場合）、制御部Ｃｏｎｔは、温度センサＳｆ１による洗面室Ｗｆの温度の測定結果を取得する（ステップＳ１０６）。制御部Ｃｏｎｔは、取得した温度と、あらかじめ決められた温度とを比較する（ステップＳ１０７）。洗面室Ｗｆの温度があらかじめ決められた温度（閾値）よりも低い場合（ステップＳ１０７でＮｏの場合）、制御部Ｃｏｎｔは、換気送風機５１を第１風量で駆動する（ステップＳ１０８）。そして、制御部Ｃｏｎｔは、洗面室Ｗｆの温度の測定結果の取得（ステップＳ１０６に戻る）。また、洗面室Ｗｆが閾値よりも高い場合（ステップＳ１０７でＹｅｓの場合）、制御部Ｃｏｎｔは、換気送風機５１を停止する（ステップＳ１０５）。
【００９４】
以上のように、制御部Ｃｏｎｔが、換気送風機５１を駆動することで、洗面室Ｗｆの冷たい空気が浴室Ｂｔに流入するのを抑制することができる。また、洗面室Ｗｆが、閾値よりも高い場合、洗面室Ｗｆの空気が浴室Ｂｔに流入しても、入浴中の使用者が寒さを感じにくい。また、換気送風機５１を停止しているため、騒音や振動を抑制することが可能であり、騒音や振動により使用者が不快感をお覚えるのを抑制することができる。
【００９５】
なお、ステップＳ１０５において、換気送風機５１を停止しているが、これに限定されない。例えば、上述したように、開口部５００に設けられたフィルタ（不図示）で捕集された塵埃等の落下を抑制するために、第１風量で換気送風機５１を駆動するようにしてもよい。
【００９６】
空気調和機４ｂを暖房運転する場合、第１熱交換器４２ｂで結露が発生する。そして、空気調和機４ｂの暖房運転が終了すると、洗面室Ｗｆの温度は下降するため、第１熱交換器４２ｂに付着している結露水は、乾燥しにくい。そのため、制御部Ｃｏｎｔは、空気調和機４ｂの暖房運転の終了時に、圧縮機４１の動作を停止し送風機４８１の動作を継続させて、第１熱交換器４２ｂの内部に空気を通過させる。第１熱交換器４２ｂの内部を通過する空気で第１熱交換器４２ｂに付着した結露水の乾燥を促進させる。これにより、第１熱交換器４２ｂを乾燥状態に維持することで、カビが生えたり、腐食したりするのを抑制することが可能である。なお、ここでは送風機４８１を駆動して第１熱交換器４２ｂの内部に空気を通過させているが、これに限定されない。例えば、換気送風機５１の駆動によって、換気配管５２と排風配管４８２との圧力変動によって、排風配管４８２に換気配管５２に向かう気流を発生させるようにしてもよい。この場合、制御部Ｃｏｎｔは、換気送風機５１を排風配管４８２に気流が発生する程度の風量で駆動する。
【００９７】
一方、空気調和機４ｂを冷房運転する場合、第２熱交換器４３で結露が発生する。そのため、冷房運転を行った後には、送風機４５の駆動を一定時間継続して、第２熱交換器４３に付着した結露水を乾燥させてもよい。また、空気調和機４ｂの冷房運転が終了すると、洗面室Ｗｆの温度が上昇するため、第２熱交換器４３に付着した結露水は、乾燥しやすい。そのため、運転終了後に、熱交換器を乾燥させるための送風機４５の駆動を継続しなくてもよい。
【００９８】
（第４実施形態）
本発明にかかる空気調和機付き洗面台セットのさらに他の例について図面を参照して説明する。図１４は本発明にかかる空気調和機付き洗面台セットのさらに他の例を示す概略側面図であり、図１５は、図１４に示す空気調和機付き洗面台セットのブロック図である。図１６は、図１４に示す空気調和機付き洗面台セットの動作を示すフローチャートである。
【００９９】
図１４に示すように、空気調和機付き洗面台セットＤは換気部５ｄが、洗面室Ｗｆに開口した開口５４と、開口５４を開閉する気流遮断部５５を備えている。これ以外については、空気調和機付き洗面台セットＣと同じ構成である。そのため、空気調和機付き洗面台セットＤの空気調和機付き洗面台セットＣと同じ部分には、同じ符号を付すとともに、同じ部分の詳細な説明は省略する。
【０１００】
換気部５ｄは、開口５４を備えており、換気送風機５１を駆動することで、開口５４を介して、洗面室Ｗｆの空気を、換気配管５２に流入させる。また、気流遮断部５５は、開口５４を開閉可能に配されており、開口５４を流れる気流を遮断する。なお、気流遮断部５５は、開口５４を開閉する構成としているが、これに限定されるものではなく、気流の流量を調整できる構成、例えば、流量調整弁であってもよい。図１５に示すように、気流遮断部５５は、制御部Ｃｏｎｔに接続され、制御部Ｃｏｎｔによって開閉制御される。
【０１０１】
空気調和機付き洗面台セットＤでは、換気送風機５１を駆動することで、浴室Ｂｔに開口する開口部５００及び洗面室Ｗｆに開口する開口５４から、気流を換気配管５２に流入する気流が発生する。そして、上述したように、第１熱交換器４２ｂを乾燥させる場合には、換気送風機５１を駆動することで、排風配管４８２に接続配管６２へ向かう気流も発生する。このときに、気流遮断部５５を駆動させて、洗面室Ｗｆの開口５４から流入する空気を遮断することで、排風配管４８２に発生する気流の流量を大きくすることができる。
【０１０２】
空気調和機４ｂが停止されると（ステップＳ２０１）、制御部Ｃｏｎｔは、気流遮断部５５を閉じる（ステップＳ２０２）。制御部Ｃｏｎｔは、空気調和機４ｂが停止されてから一定時間経過したか否か確認する（ステップＳ２０３）。一定時間経過している場合（ステップＳ２０３でＹｅｓの場合）、気流遮断部５５を開き（ステップＳ２０４）、終了する。
【０１０３】
空気調和機４ｂが停止されてから一定時間経過していない場合（ステップＳ２０３でＮｏの場合）、制御部Ｃｏｎｔは、換気部５ｄが２４時間換気を行うか否か確認する（ステップＳ２０５）。換気部５ｄが２４時間換気を行う場合、換気送風機５１が継続して運転され続けるため、換気送風機５１の駆動で排風配管４８２に気流を発生させることができる。そのため、換気部５ｄが２４時間換気を行う設定になっている場合（ステップＳ２０５でＹｅｓの場合）、制御部Ｃｏｎｔは、送風機４８１を停止する（ステップＳ２０６）。そして、空気調和機４ｂが停止してから一定時間経過したかの確認（ステップＳ２０２に戻る）。なお、送風機４８１の停止（ステップＳ２０６）は、すでに送風機４８１が停止している場合には、送風機４８１の停止を継続する動作である。
【０１０４】
換気部５ｄが２４時間換気を行う設定になっていない場合（ステップＳ２０５でＮｏの場合）、制御部Ｃｏｎｔは、送風機４８１を駆動する（ステップＳ２０７）。そして、空気調和機４ｂが停止してから一定時間経過したか確認する（ステップＳ２０８）。空気調和機４ｂが停止してから、一定時間経過していない場合（ステップＳ２０８でＮｏの場合）、制御部Ｃｏｎｔは、送風機４８１の駆動を継続する（ステップＳ２０８を繰り返す）。また、空気調和機４ｂが停止してから、一定時間経過した場合（ステップＳ２０８でＹｅｓの場合）、制御部Ｃｏｎｔは、送風機４８１を停止し（ステップＳ２０９）、気流遮断部５５を開き（ステップＳ２０４）、終了する。
【０１０５】
このように換気部５ｄを制御することで、第１熱交換器４２ｂを効率よく乾燥させることが可能である。
【０１０６】
以上、本発明の実施形態について説明したが、本発明はこの内容に限定されるものではない。また本発明の実施形態は、発明の趣旨を逸脱しない限り、種々の改変を加えることが可能である。
【０１０７】
Ａ〜Ｅ  空気調和機付き洗面台セット
１  洗面カウンター
１１  洗面ボウル
１２  扉
１３  収納スペース
１３０  隔壁
１３１  第１収納部
１３２  第２収納部
１４  給水配管
１４１  温水配管
１５  排水配管
１６  水栓
１７  水熱交換部
１７０  水槽部
１７１  導入配管
１７２  導出配管
１７３  分岐配管
１８  吸込口
２  ミラーキャビネット
２０  前面板
２１  鏡
２２  扉
２３  キャビネット収納部
２３０  仕切り壁
２３１  第１収納部
２３２  第２収納部
２４  吹出口
３  連結部
３１  中空部
４、４ｂ  空気調和機
４０  四方弁
４１  圧縮機
４２、４２ｂ  第１熱交換器
４３  第２熱交換器
４３１  受け皿
４４  膨張器
４５  送風機
４６  冷媒配管
４７  ドレン配管
４８  通風部
４８１  送風機
４８２  排風配管
４８３  カバー
５  換気部
５０  フード
５００  開口部
５１  換気送風機
５２  換気配管
５４  開口
５５  気流遮断部
６  接続部材
６１  主配管
６２  接続配管
６２１  逆流防止弁
【図１】
2017209143.tif 000003
【図２】
2017209143.tif 000004
【図３】
2017209143.tif 000005
【図４】
2017209143.tif 000006
【図５】
2017209143.tif 000007
【図６】
2017209143.tif 000008
【図７】
2017209143.tif 000009
【図８】
2017209143.tif 000010
【図９】
2017209143.tif 000011
【図１０】
2017209143.tif 000012
【図１１】
2017209143.tif 000013
【図１２】
2017209143.tif 000014
【図１３】
2017209143.tif 000015
【図１４】
2017209143.tif 000016
【図１５】
2017209143.tif 000017
【図１６】
2017209143.tif 000018